(57)【要約】      （修正有）【課題】隣接する人工歯の位置関係をできるだけ保った状態で、配列時に機能的審美的な関係を確認できる人工歯セットを提供する。【解決手段】少なくとも２つの隣り合う人工歯のセットであって、人工歯２の隣接面に有する柱状の凸部５を有し、もう一方の人工歯１の隣接面に有する柱状の凹部４を有し、人工歯の凸部が隣接する人工歯の凹部に挿入されることを特徴とする人工歯セット。【選択図】図１
2016112249.tif 000002
【特許請求の範囲】
【請求項１】
少なくとも２つの隣り合う人工歯のセットであって、
人工歯の隣接面に有する柱状の凸部を有し、もう一方の人工歯の隣接面に有する柱状の凹部を有し、人工歯の凸部が隣接する人工歯の凹部に挿入されることを特徴とする人工歯セット。
【請求項２】
請求項1記載の人工歯セットであって、人工歯の隣接面に有する柱状の凸部ともう一方の人工歯の隣接面に有する柱状の凹部の中心軸が一致して義歯上に配列されることを特徴する人工歯セット。
【請求項３】
請求項２記載の人工歯セットであって、人工歯の隣接面に有する柱状の凸部ともう一方の人工歯の隣接面に有する柱状の凹部の中心軸が近心遠心方向伸びていることを特徴とする人工歯セット。
【請求項４】
請求項２記載の人工歯セットであって、人工歯の隣接面に有する柱状の凸部がもう一方の人工歯の隣接面に有する柱状の凹部に全て埋包されていることを特徴とする人工歯セット。
【請求項５】
少なくとも２つの隣り合う人工歯のセットであって、
人工歯の隣接面に柱状の凹部を有し、もう一方の人工歯の隣接面に柱状の凹部を有し、人工歯の凹部と隣接する人工歯の凹部に柱状連結体が挿入され連結されることを特徴とする人工歯セット。
【請求項６】
請求項５記載の人工歯セットであって、人工歯の隣接面に有する柱状の凹部、もう一方の人工歯の隣接面に有する柱状の凹部及び柱状連結体の中心軸が一致して義歯上に配列されることを特徴する人工歯セット。
【請求項７】
請求項６記載の人工歯セットであって、人工歯の隣接面に有する柱状の凹部、もう一方の人工歯の隣接面に有する柱状の凹部及び柱状連結体の中心軸が近心遠心方向伸びていることを特徴とする人工歯セット。
【請求項８】
請求項７記載の人工歯セットであって、柱状連結体が人工歯の隣接面に有する柱状の凹部、もう一方の人工歯の隣接面に有する柱状の凹部に全て埋包されていることを特徴とする人工歯セット。
【発明の詳細な説明】
【技術分野】
【０００１】
本発明は有床義歯用の人工歯セットに関する。隣接する人工歯との配列を容易にすることを特徴とする人工歯である。
【背景技術】
【０００２】
従来人工歯は、天然歯の歯冠形状をしたのもが多く、有床義歯を構成するために配列する時には深い知識と経験がなければ、適正に配列することは難しかった。近年これらの課題を解決する為にいろいろな手段が紹介されている。
特許文献１、２には、人工歯の配列状態で形状記憶材料や糸で連結した状態で配列する技術が知られている。しかし、この方法では、人工歯の配列の自由度が大きすぎるため、配列にはなおもって知識と経験が必要であり、作業の簡便化には至らなかった。
特許文献３には、隣接する人工歯の咬合面を保持する部材を用いて、隣接する人工歯同士を固定した状態で配列する技術が知られている。しかし、この方法では、人工歯の自由度が少なすぎるばかりか、歯軸の確認や審美的な状態を確認できず、機能的であって審美的な配列ができているか確認することができなかった。
隣接する人工歯を配列するに当って、自由度を有しながら、機能的且つ審美的な配列ができているか確認できる技術が求められていた。
【先行技術文献】
【特許文献】
【０００３】
【特許文献１】特開平２−１１９８５５
【特許文献２】特開平６−２６１９１７
【特許文献３】特開平５−２２０１７９
【発明の概要】
【発明が解決しようとする課題】
【０００４】
隣接する人工歯の位置関係をできるだけ保った状態で、配列時に機能的審美的な関係を確認できる人工歯が求められていた。
【課題を解決するための手段】
【０００５】
少なくとも２つの隣り合う人工歯のセットであって、人工歯の隣接面に有する柱状の凸部を有し、もう一方の人工歯の隣接面に有する柱状の凹部を有し、人工歯の凸部が隣接する人工歯の凹部に挿入されることを特徴とする人工歯セットである。
また、人工歯の隣接面に有する柱状の凸部ともう一方の人工歯の隣接面に有する柱状の凹部の中心軸が一致していることが好ましい。更に、人工歯の隣接面に有する柱状の凸部ともう一方の人工歯の隣接面に有する柱状の凹部の中心軸が近心遠心方向伸びていることが好ましい。更にまた、人工歯の隣接面に有する柱状の凸部がもう一方の人工歯の隣接面に有する柱状の凹部に全て埋包されていることが好ましい。
【０００６】
少なくとも２つの隣り合う人工歯のセットであって、人工歯の隣接面に柱状の凹部を有し、もう一方の人工歯の隣接面に柱状の凹部を有し、人工歯の凹部と隣接する人工歯の凹部に挿入される柱状連結体で連結されることを特徴とする人工歯セットである。また、人工歯の隣接面に有する柱状の凹部、もう一方の人工歯の隣接面に有する柱状の凹部及び柱状連結体の中心軸が一致して義歯上に配列されることが好ましい。更に、人工歯の隣接面に有する柱状の凹部、もう一方の人工歯の隣接面に有する柱状の凹部及び柱状連結体の中心軸が近心遠心方向伸びていることが好ましい。更にまた、柱状連結体が人工歯の隣接面に有する柱状の凹部、もう一方の人工歯の隣接面に有する柱状の凹部に全て埋包されていることが好ましい。
【発明の効果】
【０００７】
人工歯の配列は熟練を要する作業であるが、本発明の人工歯を用いれば容易に配列することができる。また、本発明の人工歯は近遠心方向が容易に分かる。
義歯上に配列された人工歯は、隣り合う人工歯と嵌合することから、義歯から人工歯が脱落することを防止することができる。
本発明の人工歯の凹部及び凸部をそれぞれの隣接する人工歯同士のみで嵌合する様に形を変える事で、隣り合う人工歯を間違って配列することを防止できる。
【発明を実施するための形態】
【０００８】
少なくとも２つの隣り合う人工歯とは口腔内で配列される隣り合う人工歯である。本発明の人工歯は臼歯であっても前歯であってもよい。少なくとも隣り合う人工歯のそれぞれに凹部もしくは凸部が必要である為、少なくとも２つの隣り合う人工歯のセットである必要がある。また、前歯六歯の中切歯、側切歯、犬歯の左右のセットであることが好ましい。その結果、前歯の配列が容易となる。更に、臼歯四歯の第一小臼歯、第二小臼歯、第一大臼歯、第二大臼歯のセットであることが好ましい。その結果、臼歯の配列が容易となる。また更に、全ての前歯及び臼歯の人工歯のセットであることが好ましい。前歯及び臼歯の全ての人工歯を容易に配列することができる。
【０００９】
人工歯の隣接面とは隣り合う人工歯のお互いが接する面部分であって、口腔内での配列時に接する面部分である。
人工歯の隣接面に有する柱状の凸部とは、隣り合う人工歯の凹部に嵌合する部分である。柱状とは略円柱状、楕円柱や四角柱であってもよい。円柱状をしていることが好ましい。
隣接歯との位置関係が一定となり容易に配列できることを考えた場合、楕円柱や四角柱であることが好ましい。近心遠心方向に対して回転運動ができる円柱は口腔内で調整することができるため好ましい。
また、抜け勾配として、1〜5度のテーパーを設けることが好ましい。連結時に凸部を凹部に容易に挿入できる。
もう一方の人工歯の隣接面に有する柱状の凹部とは、隣り合う人工歯の凸部に嵌合する部分であり、凸部と同様な凹部であることが好ましい。
凸部と凹部は人工歯の歯軸に対して中央から若干切端寄りであることが好ましい。審美性に影響の少ない位置である。
凸部と凹部の中心軸が一致していることが好ましく、人工歯が口腔内で配列された場合の位置関係を形成することができる。凸部と凹部の中心軸が近心遠心方向に伸びることで、義歯への配列時に人工歯を連結させる場合に、近心若しくは遠心方向から人工歯を装着する為、人工歯の配列が容易となる。
三歯以上の連続した人工歯のセットである場合、それぞれの凸部と凹部の中心軸が一致していることが好ましい、近心遠心軸が容易に判断することができ、配列も容易となる。
人工歯の形状から突出した凸部周辺の人工歯が、人工歯の形状から窪んだ凹部周辺の人工歯と接触していることが好ましい。凸部及び凹部の周辺部が接触することで柱状という不自然な幾何学的な形態を口腔内に露見させないこととなり、人工歯配列に対する審美的影響を軽減することができる。
【００１０】
柱状連結体とは前記凹部に装着することで、前記凸部を有する人工歯と同じ役目をすることができる。
また、柱状連結体は隣り合う柱状の凹部に挿入することで、人工歯を連結することから、凹部の柱状の形状の中心軸が一致していないことがあり、その場合は柱状連結体は中心軸のずれた２つの略円柱を繋げた形状となる。略円柱の中心軸のずれは、隣接歯によって異なり、中切歯と中切歯間では０〜１０度、中切歯と側切歯間では１０〜３０度、側切歯と犬歯間では２０〜４０度、犬歯と第一小臼歯間では２０〜４０度、第一小臼歯と第二小臼歯間では０〜１０度、第二小臼歯と第一大臼歯間では０〜１０度、第一大臼歯と第二大臼歯間では０〜１０度であることが好ましい。人工歯の配列時において、前歯の場合大きく湾曲させて配列するが、臼歯ではほぼ直線状に配列する為である。
【産業上の利用可能性】
【００１１】
本発明は人工歯にかかる発明であって、産業に利用される発明である。
【図面の簡単な説明】
【００１２】
【図１】人工歯の凸部が隣接する人工歯の凹部に挿入されている状態を示すイメージ図
【図２】人工歯の凹部と隣接する人工歯の凹部に柱状連結体が挿入されている状態を示すイメージ図
【図３】前歯６歯の人工歯において、人工歯の凸部が隣接する人工歯の凹部に連続して挿入されている状態を示すイメージ図
【図４】中心軸のずれた２つの略円柱を繋げた形状の柱状連結体の概念図
【符号の説明】
【００１３】
１  人工歯
２  人工歯
３  隣接面
４  人工歯の隣接面に有する柱状の凹部
５  人工歯の隣接面に有する柱状の凸部
６  柱状連結体
７  人工歯
１５ 床用ワックス
１６ 歯冠乳頭      
【図１】
2016112249.tif 000003
【図２】
2016112249.tif 000004
【図３】
2016112249.tif 000005
【図４】
2016112249.tif 000006